(57)【要約】【課題】  ベルトの整理方法として、バックル部分を掛具に掛けるハンガーが有る。この方法は、バックル形状により掛け方が異なり、形状に適応したハンガーを必要とする。しかも、ベルトの使用癖等により整理状態が悪く、掛け外しに於いて他のベルトの脱落原因となる。これら不都合を解消し、簡単に整然と整理できるハンガーとする。【解決手段】  殆どのベルトが持つ形状のベルトエンド11を、押え板１に対し下方より上方が広い間隔を持つ傾斜した角度のガイド穴７に、誘導される押えコロ３と押え板1の間に差し込み、押えコロを下げベルト４を挟み保持する。押えコロはベルトの自重により、下方向に引かれ、楔の状態となり保持力が強くなる。押えコロを上げると簡単に外す事が出来る。重いバックルが下になって吊るした状態は、ベルトの癖を修正し垂直に保ち整然とした整理が出来る。本構造を複数持つ一体構造のハンガーにより、複数のベルトを簡単に整然と整理できる。【選択図】    図6
0003163518.tif 000002
【実用新案登録請求の範囲】
【請求項１】
ベルトを保持する方法として、ベルトの押え板と、押え板の両端に有る側板に、押えコロのガイド用として設けられたガイド穴があり、ガイド穴に誘導された自由に動く押えコロを有する。ガイド穴は押え板に対する間隔が、下部が狭く上部が広くなる角度を持ち、押え板に対し傾斜したガイド穴の形状をしている。従って、押えコロがガイド穴の最下部にあるとき、押え板と押えコロの間隔が最も狭く、押えコロがガイド穴の最上部にあるとき間隔が広くなる。押え板と押えころの間にベルトを差し入れ、押えコロを下方向に下げると、押え板と押えコロの間隔が小さくなる事により、ベルトを挟む力が強くなり確実にベルトを保持する。このような構造を持ちベルトを保持するハンガー。
【考案の詳細な説明】
【技術分野】
【０００１】
本考案は、服飾用ベルトを整理するために、整理用保持具としてのハンガーに関するものである。
【背景技術】
【０００２】
従来から、ベルトの整理用具としてベルトハンガーがある。殆どのベルトハンガーは、ベルトのバックル部分を利用し、バックルの形状に適応した掛具を持つハンガーにそれぞれ掛け、複数のハンガーにて整理する方法が有る。
【考案の概要】
【考案が解決しようとする課題】
【０００３】
しかし、バックル部分を掛具に掛ける方法であると、バックルの機能・形状の多様さ・大きさの違い等により、ベルトを掛ける掛け具・掛け方がそれぞれに異なる。したがって、同一掛け具を持つ同一ハンガーに、多種類の形状・機能を持つバックルのベルトを、一同に掛ける事が出来ない。機能・形状・大きさにより、それぞれに適応した複数のハンガーを必要とする。同一ハンガーに於いても、複数のバックルをかけたとき、大きさ・形状の違い等により雑然とした様子になり体裁が悪い。しかも、バックルを掛具に掛けベルトが下に垂れたとき、ベルトに使用時の癖・巻き癖がある為、ベルトが不自然に曲がりクネリ、全体が雑然とした様子になる。しかも、複数のベルトを同一ハンガーに掛けたときにベルトが絡み合い、ベルトの掛け外しに於いて他のベルトの脱落原因となる。バックル部分を掛けるハンガーは、バックルによりハンガーが異なり、適応した複数のハンガーを必要とし、整理性に欠け、利便性が悪い。
【課題を解決するための手段】
【０００４】
そこで、ベルトを整然と保持する方法として、バックル部分と反対端に位置するベルトのエンドを利用する。ベルトにより幅・厚み・デザインの違いは有るが、ベルトエンドは付属物が無く、殆どのベルトが基本的に単純な平板的形状をしている。このベルトエンドを、ベルトの押え板と押え板の両端にある側板に設けたられた押え板に対し、下が狭く上が広い間隔を持つ傾斜したガイド穴に誘導される押えコロの間に挿入し、押えコロを下げベルトを挟み保持する。更に、ベルトの自重によって、押えコロが下方向に引き下げられる事により、押えコロがベルトに対し楔の状態となり、自然と保持力が増強され、確実にベルトを保持する方法を考案した（図6）。この保持機構を持つハンガーにより、特別の形状をしたベルトエンドで無い限り、殆どのベルトを保持する事が出来る。しかも、重量のあるバックルが下になる事でベルトの癖が修正され、直線的に下に垂れる事により整然とした整理ができる（図10）。
【考案の効果】
【０００５】
よって、本考案の保持機構を持つベルトハンガーは、殆どのベルトエンドが単純な平板的形状をしている同様の形状の為、特殊な形状をしたベルトエンドを持つベルト以外、殆どのベルトが使用できる。ベルトの自重により作用される押えコロの楔効果が自然に増減する為、重いベルトは保持力が強くなり、ベルトの重量に関係なく確実に保持しベルトの脱落が無い。しかも、掛け外しが簡単であり、ベルトを直線的に下に垂れた状態で保持する為、整理が整然とし利便性が高い。
【図面の簡単な説明】
【０００６】
【図１】基本的構造ベルトハンガー（一本掛け）の正面図。
【図２】基本的構造ベルトハンガー（一本掛け）の下面図。
【図３】基本的構造ベルトハンガー（一本掛け）の側面図。
【図４】基本的構造ベルトハンガー（一本掛け）のＢ−Ｂ´断面図。
【図５】基本的構造ベルトハンガー（一本掛け）のＡ−Ａ´断面図。
【図６】基本的構造ベルトハンガー（一本掛け）の使用図。
【図７】複数掛けベルトハンガー（5本掛け）の正面図。
【図８】複数掛けベルトハンガー（5本掛け）の側面図。
【図９】複数掛けベルトハンガー（５本掛け）のＣ‐Ｃ´断面図。
【図１０】複数掛けベルトハンガー（５本掛け）の使用図。
【考案を実施するための形態】
【０００７】
本考案に関わるベルト保持機構は、図3に示す通り、押え板１と押え板１の両端にある側板２に、押え板１に対し下部が狭く上部が広い間隔を持つ傾斜したガイド穴７の中を、ガイド穴に誘導された押えコロ３が、ガイド穴に沿って上下に自由に動く構造である。図４の通り、押え板１と押えコロ３の間にベルトエンド11を挿入し、図2の通り、ベルト４に、押え板１と押えコロ３を接触させ挟む。図4の通り、ガイド穴が押え板に対して、下部が狭く上部が広い傾斜した構造の為、押えコロ３をガイドに沿って下方向に下げる事により、ベルトを挟み保持する力が生ずる。しかも、誘導される押えコロが、ベルトの自重によりベルトが落下しようとすると、押えコロがベルトとの摩擦によって下方向に引かれる事により、押え板１と押えコロ３の間が狭くなり、ベルトを挟む力が更に強くなる。ベルトの自重による下向きの力が押えコロに作用し続ける間、押えコロとベルトの間に楔の効果を発生させ、ベルトを保持し続ける。しかも、ベルトを挟む力は、ベルトが下方向に引かれる力が大きい（重量がある）ほど、接触する押えコロも下方向に引かれる力が大きくなり、ベルトと押えコロに生ずる楔の作用が強くなる事により、ベルトを保持する力が強くなる。従って、ベルトの重量によりベルトの保持力は自動的に変化する事により、重量に関係なくベルトは落下しない。
【０００８】
ベルトを保持具より外す場合、押えコロをガイド穴に沿い上方向に上げると、押え板と押えコロの間隔が広くなる事により、ベルトと押え板・押えコロの間に接触がなくなり、楔効果が解消しベルトを挟む力が解消する。ベルトは無理なく簡単に外す事が出来る。
【０００９】
このハンガーを使用した状況は、図6の通りベルトエンド部分を保持し、重量のあるバックルを下にし吊下げる事により、ベルトの癖、巻き癖が修正され、ベルトを直線的に保持する事が出来、整然とした整理をすることが出来る。
【００１０】
この簡単な構造を持つ保持具は、ベルトの一本掛けハンガーとして図1・図2・図3・図4・図5・図6の通りとするが、ベルトの一本掛けの機構を複数集合させる事により、図7・図8・図9・図10の通り、複数掛け（本図は、5本掛けを示す）のベルトハンガーとする事も出来る。
【産業上の利用可能性】
【００１１】
本考案によるベルトハンガーは、構造が簡単である為工業的に量産が可能である。
しかも、構造に多少のユーモア性が有り、木質の素材で制作する事により、高級感を出すハンガーとして装飾的価値を得る事が出来る。
【符号の説明】
【００１２】
１  押え板
２  側板
３  押えコロ
４  ベルト
５  天板
６  フック
７  ガイド穴
８  複数掛け用ケース
９  装飾穴
10  バックル
11  ベルトエンド
【図１】
0003163518.tif 000003
【図２】
0003163518.tif 000004
【図３】
0003163518.tif 000005
【図４】
0003163518.tif 000006
【図５】
0003163518.tif 000007
【図６】
0003163518.tif 000008
【図７】
0003163518.tif 000009
【図８】
0003163518.tif 000010
【図９】
0003163518.tif 000011
【図１０】
0003163518.tif 000012
【手続補正書】
【提出日】平成22年8月18日(2010.8.18)
【手続補正１】
【補正対象書類名】実用新案登録請求の範囲
【補正対象項目名】全文
【補正方法】変更
【補正の内容】
【実用新案登録請求の範囲】
【請求項１】
ベルトを保持する方法として、ベルトの押え板と、押え板の両端に有る側板に、押えコロのガイド用として設けられたガイド穴があり、ガイド穴に誘導された自由に動く押えコロを有し、ガイド穴は押え板に対する間隔が、下部が狭く上部が広くなる角度を持ち、押え板に対し傾斜したガイド穴の形状をしており、押えコロがガイド穴の最下部にあるとき、押え板と押えコロの間隔が最も狭く、押えコロがガイド穴の最上部にあるとき間隔が最も広くなり、押え板と押えころの間にベルトを差し入れ、押えコロを下方向に下げると、押え板と押えコロの間隔が小さくなる事により、ベルトを挟む力が強くなり確実にベルトを保持する事を特徴とし、このような構造を持つベルトを保持するハンガー。